(57)【要約】【課題】画像形成装置本体に現像剤カートリッジが装着された状態で画像形成装置を出荷する構成において、現像剤を通過させるための開口を開閉するシャッタが不意に開くことを防止できる現像剤カートリッジおよび現像装置を提供すること。【解決手段】トナーカートリッジ１１は、トナーを収容する外ケース８１と内ケース８２とを備えている。外ケース８１には貫通穴８８が形成されており、内ケース８２が貫通穴８８を開閉する。外ケース８１には設けられた内突起９８は、内ケース８２の開閉動作を禁止する退避位置と、内ケース８２の開閉動作を許可する進出位置との間で進退可能である。トナーカートリッジ１１に備えられた保持部材１４０は、内ケース８２が貫通穴８８を閉じているときに外ケース８１に装着され、内突起９８を退避位置に保持する。これにより、内ケース８２は、貫通穴８８を閉じたままの状態でロックされる。【選択図】図８
2011013368.tif 000002
【特許請求の範囲】
【請求項１】
画像形成装置本体または前記画像形成装置本体に装備される現像装置に対して着脱可能な現像剤カートリッジであって、
現像剤を収容し、前記画像形成装置本体または前記現像装置と前記現像剤カートリッジとの間で現像剤を通過させるための開口が形成されたケーシングと、
前記開口を開閉するシャッタと、
前記ケーシングに設けられ、退避位置と、前記退避位置よりも前記ケーシングから突出する進出位置との間で進退可能であり、前記退避位置にあるときに前記シャッタの開閉動作を禁止し、前記進出位置にあるときに前記シャッタの開閉動作を許可する第１係合部と、
前記シャッタが前記開口を閉じているときに前記ケーシングに装着され、前記第１係合部を前記退避位置に保持する保持部材と
を備えていることを特徴とする、現像剤カートリッジ。
【請求項２】
前記保持部材は、前記ケーシングから離脱可能であり、
前記画像形成装置本体または前記現像装置には、被係合部が設けられており、
前記保持部材を前記ケーシングから離脱させると、前記第１係合部は、前記進出位置に配置され、前記現像剤カートリッジが前記画像形成装置本体または前記現像装置に装着されるときに、前記被係合部に係合することを特徴とする、請求項１に記載の現像剤カートリッジ。
【請求項３】
前記現像剤カートリッジを前記画像形成装置本体または前記現像装置に対して着脱するために操作される操作部を備え、
前記操作部の操作による前記画像形成装置本体または前記現像装置に対する前記現像剤カートリッジの着脱動作と、前記シャッタの開閉動作とが連動していることを特徴とする、請求項２に記載の現像剤カートリッジ。
【請求項４】
前記第１係合部は、前記ケーシングの外表面から突出する突出部であり、
前記被係合部は、前記現像剤カートリッジが前記画像形成装置本体または前記現像装置に装着されるときに、前記第１係合部を受け入れる溝であることを特徴とする、請求項２または３に記載の現像剤カートリッジ。
【請求項５】
前記ケーシングに固定され、前記ケーシングの外表面から突出し、前記現像剤カートリッジが前記画像形成装置本体または前記現像装置に装着されるときに、前記溝に受け入れられる第２係合部を備えていることを特徴とする、請求項４に記載の現像剤カートリッジ。
【請求項６】
前記第１係合部を前記退避位置から前記進出位置へ向けて付勢する付勢部材を備えていることを特徴とする、請求項１ないし５のいずれかに記載の現像剤カートリッジ。
【請求項７】
前記ケーシングの内部は、前記開口に直接連通する第１室と、連通口を介して前記第１室に連通し、現像剤を収容する第２室とに区画されており、
前記シャッタは、前記開口および前記連通口の両方を開閉することを特徴とする、請求項１ないし６のいずれかに記載の現像剤カートリッジ。
【請求項８】
画像形成装置本体に装備される現像装置であって、
現像剤を収容する現像剤カートリッジと、
前記現像剤カートリッジが着脱可能に装着される筐体と
を備え、
前記現像剤カートリッジは、
現像剤を収容し、前記筐体と前記現像剤カートリッジとの間で現像剤を通過させるための開口が形成されたケーシングと、
前記開口を開閉するシャッタと、
前記ケーシングに設けられ、退避位置と、前記退避位置よりも前記ケーシングから突出する進出位置との間で進退可能であり、前記退避位置にあるときに前記シャッタの開閉動作を禁止し、前記進出位置にあるときに前記シャッタの開閉動作を許可する第１係合部と、
前記シャッタが前記開口を閉じているときに前記ケーシングに装着され、前記第１係合部を前記退避位置に保持する保持部材と
を備え、
前記筐体には、被係合部が設けられており、
前記保持部材を前記ケーシングから離脱させると、前記第１係合部は、前記進出位置に配置され、前記現像剤カートリッジが前記筐体に装着されるときに、前記被係合部に係合することを特徴とする、現像装置。
【請求項９】
前記現像剤カートリッジを前記筐体に対して着脱するために操作される操作部を備え、
前記操作部の操作による前記筐体に対する前記現像剤カートリッジの着脱動作と、前記シャッタの開閉動作とが連動していることを特徴とする、請求項８に記載の現像装置。
【請求項１０】
前記第１係合部は、前記ケーシングの外表面から突出する突出部であり、
前記被係合部は、前記現像剤カートリッジが前記筐体に装着されるときに、前記第１係合部を受け入れる溝であることを特徴とする、請求項８または９に記載の現像装置。
【請求項１１】
前記ケーシングに固定され、前記ケーシングの外表面から突出し、前記現像剤カートリッジが前記筐体に装着されるときに、前記溝に受け入れられる第２係合部を備えていることを特徴とする、請求項１０に記載の現像装置。
【請求項１２】
前記第１係合部を前記退避位置から前記進出位置へ向けて付勢する付勢部材を備えていることを特徴とする、請求項８ないし１１のいずれかに記載の現像装置。
【請求項１３】
前記ケーシングの内部は、前記開口に直接連通する第１室と、連通口を介して前記第１室に連通し、現像剤を収容する第２室とに区画されており、
前記シャッタは、前記開口および前記連通口の両方を開閉することを特徴とする、請求項８ないし１２のいずれかに記載の現像装置。
【発明の詳細な説明】
【技術分野】
【０００１】
本発明は、現像剤カートリッジ、および、この現像剤カートリッジが着脱可能に装着される現像装置に関する。
【背景技術】
【０００２】
現像剤カートリッジとして、トナーを収容するトナーホッパが知られている（たとえば、特許文献１参照）。
特許文献１に記載のトナーホッパは、画像形成装置本体に対して着脱自在に装着される。このトナーホッパは、トナーを収容するホッパフレームと開閉カバーとを備えている。ホッパフレームには、ホッパ側連通口が形成されており、トナーホッパ内のトナーは、ホッパ側連通口から画像形成装置本体側に供給される。そして、開閉カバーは、ホッパ側連通口を開閉する。
【先行技術文献】
【特許文献】
【０００３】
【特許文献１】特開２００８−８３５１６号公報
【発明の概要】
【発明が解決しようとする課題】
【０００４】
特許文献１に記載のトナーホッパは、画像形成装置が出荷される際、画像形成装置本体から取り外されている。そのため、画像形成装置の梱包用の箱は、画像形成装置本体だけでなくトナーホッパも梱包できるように、比較的大きい。
しかし、最近では、出荷に係るコストの削減に伴い、梱包用の箱の小型化のために、トナーホッパを画像形成装置本体に装着した状態（トナーホッパが画像形成装置本体内に収まった状態）で出荷できることが望まれている。
【０００５】
この場合（画像形成装置本体にトナーホッパが装着された状態で画像形成装置を出荷する場合）、画像形成装置本体に装着された状態にあるトナーホッパにおいて開閉カバーが不意に開くことでホッパ側連通口からトナーが漏れることを防止する必要がある。
そこで、本発明の目的は、画像形成装置本体に現像剤カートリッジが装着された状態で画像形成装置を出荷する構成において、現像剤を通過させるための開口を開閉するシャッタが不意に開くことを防止できる現像剤カートリッジおよび現像装置を提供することにある。
【課題を解決するための手段】
【０００６】
上記目的を達成するため、この発明は、画像形成装置本体または前記画像形成装置本体に装備される現像装置に対して着脱可能な現像剤カートリッジであって、現像剤を収容し、前記画像形成装置本体または前記現像装置と前記現像剤カートリッジとの間で現像剤を通過させるための開口が形成されたケーシングと、前記開口を開閉するシャッタと、前記ケーシングに設けられ、退避位置と、前記退避位置よりも前記ケーシングから突出する進出位置との間で進退可能であり、前記退避位置にあるときに前記シャッタの開閉動作を禁止し、前記進出位置にあるときに前記シャッタの開閉動作を許可する第１係合部と、前記シャッタが前記開口を閉じているときに前記ケーシングに装着され、前記第１係合部を前記退避位置に保持する保持部材とを備えていることを特徴としている。
【０００７】
また、この発明は、画像形成装置本体に装備される現像装置であって、現像剤を収容する現像剤カートリッジと、前記現像剤カートリッジが着脱可能に装着される筐体とを備え、前記現像剤カートリッジは、現像剤を収容し、前記筐体と前記現像剤カートリッジとの間で現像剤を通過させるための開口が形成されたケーシングと、前記開口を開閉するシャッタと、前記ケーシングに設けられ、退避位置と、前記退避位置よりも前記ケーシングから突出する進出位置との間で進退可能であり、前記退避位置にあるときに前記シャッタの開閉動作を禁止し、前記進出位置にあるときに前記シャッタの開閉動作を許可する第１係合部と、前記シャッタが前記開口を閉じているときに前記ケーシングに装着され、前記第１係合部を前記退避位置に保持する保持部材とを備え、前記筐体には、被係合部が設けられており、前記保持部材を前記ケーシングから離脱させると、前記第１係合部は、前記進出位置に配置され、前記現像剤カートリッジが前記筐体に装着されるときに、前記被係合部に係合することを特徴としている。
【発明の効果】
【０００８】
この発明によれば、現像剤カートリッジは、画像形成装置本体または画像形成装置本体に装備される現像装置（現像装置の筐体）に対して着脱可能である。そして、現像剤カートリッジは、現像剤を収容するケーシングと、シャッタとを備えている。ケーシングには、画像形成装置本体または現像装置と現像剤カートリッジとの間で現像剤を通過させるための開口が形成されており、シャッタが、この開口を開閉する。
【０００９】
ここで、ケーシングには、第１係合部が設けられている。第１係合部は、退避位置と、退避位置よりもケーシングから突出する進出位置との間で進退可能であり、退避位置にあるときにシャッタの開閉動作を禁止し、進出位置にあるときにシャッタの開閉動作を許可する。
そして、現像剤カートリッジは、保持部材を備えている。保持部材は、シャッタが開口を閉じているときにケーシングに装着され、第１係合部を退避位置に保持する。これにより、シャッタは、開口を閉じたままの状態でロックされる。そのため、現像剤カートリッジが画像形成装置本体または現像装置に装着された状態で画像形成装置または現像装置が出荷されても、シャッタが不意に開くことを防止できる。
【図面の簡単な説明】
【００１０】
【図１】本発明の一実施形態に係るプリンタの側断面図である。
【図２】現像ユニットの現像部を示しており、（ａ）は、受け部が第２位置にあるときの側断面図であり、（ｂ）は、受け部が第２位置にあるときの左側面図であり、（ｃ）は、（ａ）において受け部が第１位置にある状態を示し、（ｄ）は、（ｂ）において受け部が第１位置にある状態を示している。
【図３】トナーカートリッジを示しており、（ａ）は、内ケースが閉位置あるときの左側面図であり、（ｂ）は、内ケースが閉位置にあるときの側断面図であり、（ｃ）は、内ケースが閉位置にあるときの右側面図であり、（ｄ）は、（ａ）において内ケースが開位置にある状態を示し、（ｅ）は、（ｂ）において内ケースが開位置にある状態を示し、（ｆ）は、（ｃ）において内ケースが開位置にある状態を示している。
【図４Ａ】図３（ｂ）のＢ−Ｂ矢視断面図である。
【図４Ｂ】図３（ｅ）のＣ−Ｃ矢視断面図である。
【図５】プロセスカートリッジ（ドラム部を除く）を示しており、（ａ）は、受け部が第１位置にあるときの側断面図（要部は左側面図となっている。）であり、（ｂ）は、受け部が第１位置にあるときの側断面図であり、（ｃ）は、（ａ）において受け部が第２位置にある状態を示し、（ｄ）は、（ｂ）において受け部が第２位置にある状態を示している。
【図６】図１のＡ−Ａ線におけるプロセスカートリッジの階段断面図である。
【図７】保持部材を左上側から見た斜視図である。
【図８】保持部材が装着された状態にあるトナーカートリッジを示しており、（ａ）は、左側面図であり、（ｂ）は、側断面図であり、（ｃ）は、右側面図である。
【図９】プロセスカートリッジの側断面図を示しており、（ａ）は、受け部が第１位置にある状態を示し、（ｂ）は、受け部が第２位置にある状態を示している。
【図１０】図９（ｂ）のＤ−Ｄ線におけるプロセスカートリッジの階段断面図である。
【発明を実施するための形態】
【００１１】
以下では、本発明の実施形態について、添付図面を参照しながら詳細に説明する。
１．プリンタの全体構成
図１に示すように、画像形成装置の一例としてのプリンタ１は、画像形成装置本体の一例としての本体ケーシング２を備えている。本体ケーシング２内の中央部には、現像装置の一例としてのプロセスカートリッジ３が配置されている。本体ケーシング２内において、プロセスカートリッジ３の上方には、レーザなどを備える露光器４が配置されている。
【００１２】
本体ケーシング２の側壁には、フロントカバー５がその下端部を支点として開閉可能に設けられている。フロントカバー５を開くと、プロセスカートリッジ３が露出し、プロセスカートリッジ３を本体ケーシング２に対して着脱させることができる。
プロセスカートリッジ３は、現像剤の一例としてのトナーを収容するトナーカートリッジ１１と、トナーカートリッジ１１が着脱可能に装着される現像ユニット１６とを備えている。現像ユニット１６は、感光ドラム６およびスコロトロン型の帯電器７を保持するドラム部８と、トナーカートリッジ１１からのトナーを外周面で担持する現像ローラ９を保持する現像部１０とを含んでいる。ここで、トナーカートリッジ１１は、現像剤カートリッジの一例として機能し、現像ユニット１６は、筐体の一例として機能する。また、感光ドラム６は、像担持体の一例として機能し、現像ローラ９は、現像剤担持体の一例として機能する。
【００１３】
現像部１０は、現像ローラ９の外周面の一部が感光ドラム６の外周面に押圧するように、ドラム部８に支持されている。トナーカートリッジ１１は、現像ユニット１６に対して、現像部１０において着脱可能に装着される。
感光ドラム６の回転に伴って、感光ドラム６の外周面は、帯電器７によって一様に帯電された後、露光器４からのレーザビーム（破線矢印参照）によって選択的に露光される。これにより、感光ドラム６の外周面に、画像データに基づく静電潜像が形成される。そして、静電潜像が現像ローラ９に対向すると、静電潜像と現像ローラ９との間の電位差により、現像ローラ９から感光ドラム６の静電潜像にトナーが供給される。これによって、感光ドラム６の外周面にトナー像が形成される。
【００１４】
本体ケーシング２の底部には、用紙Ｐ（太い破線参照）を収容する給紙カセット１２が配置されている。用紙Ｐは、１枚ずつ、給紙カセット１２から送り出され、感光ドラム６とこれに対向配置される転写ローラ１３との間に供給される。そして、感光ドラム６の外周面上のトナー像は、転写ローラ１３と対向したときに、感光ドラム６と転写ローラ１３との間に進入した用紙Ｐに転写される。転写ローラ１３は、ドラム部８に保持されている。
【００１５】
プロセスカートリッジ３に対して用紙Ｐの搬送方向における下流側には、定着器１４が配置されている。トナー像が転写された用紙Ｐは、定着器１４に搬送される。定着器１４では、加熱および加圧により、トナー像が画像となって用紙Ｐに定着される。こうして画像が形成された用紙Ｐは、各種ローラにより、本体ケーシング２の上面の排紙トレイ１５に排出される。
【００１６】
以上が、プリンタ１の構成の概要およびプリンタ１における画像形成の流れである。
なお、プリンタ１では、フロントカバー５が設けられている側（図１における右側）が前側である。以下の説明での上下左右の方向は、プロセスカートリッジ３が本体ケーシング２に装着された状態でプリンタ１を前側（正面側）から見たときを基準とする（詳しくは、各図において方向を示す矢印を参照）。これにより、プロセスカートリッジ３は、本体ケーシング２に対して前側から着脱されることになる。
２．プロセスカートリッジ
前述したように、プロセスカートリッジ３は、現像ユニット１６とトナーカートリッジ１１とを備えており、現像ユニット１６は、ドラム部８と現像部１０とを含んでいる。以下では、現像ユニット１６（ドラム部８および現像部１０）およびトナーカートリッジ１１のそれぞれについて詳説する。
【００１７】
ちなみに、プロセスカートリッジ３は、図１に示すように本体ケーシング２に装着された状態では、前側が後側より少し高くなるように若干傾いた姿勢を取っているが、以下では、特に断りがない限り、説明の便宜上、プロセスカートリッジ３は水平面に載置されて傾いていないものとする。
（１）現像ユニット
（１−１）ドラム部
ドラム部８は、左右方向（幅方向ということがある。）に長手で上下に扁平な中空のボックス形状である。ドラム部８は、その外郭をなす現像フレームの一例としてのドラムケース２０と、前述した感光ドラム６、帯電器７および転写ローラ１３とを備えている。
【００１８】
ドラムケース２０は、底壁２１、後壁２２、天壁２３、前壁２４、および、左右１対の側壁２５を一体的に備える中空のボックス形状である。
１対の側壁２５は、ともに幅方向に薄くて前後に長い板状であって、幅方向に間隔を隔てて対向配置されており、これらの側壁２５の下端縁間に、底壁２１が架設されて前後に延びている。また、底壁２１の後側略３分の１の部分に対して、天壁２３が間隔を隔てて上から対向配置されており、天壁２３の後端縁と底壁２１の後端縁との間に、後壁２２が架設されて上下に延びている。そして、前壁２４は、底壁２１の前端縁から湾曲しながら上方へ延びつつ、１対の側壁２５の前端縁間に架設されている。
【００１９】
このようなドラムケース２０の上面において、後側略３分の１の領域は、前述した天壁２３となっており、前側略３分の２の領域は、ドラムケース２０の内部空間を上方ヘ露出させる開口となっており、通過口２６とされる。通過口２６は、天壁２３の前端縁と、前壁２４の上端縁と、左右の側壁２５の上端縁において天壁２３より前側の部分とによって区画されている。トナーカートリッジ１１は、現像ユニット１６に着脱される際に、この通過口２６を通過する。
【００２０】
ここで、ドラムケース２０（ドラム部８）の内部空間において、底壁２１の後側略３分の１の部分と天壁２３とによって上下から挟まれた部分は、ドラム収容室２７とされ、ドラム収容室２７より前側の空間は、現像部収容室２８とされる。ドラム収容室２７と現像部収容室２８とは互いに連通している。
ドラム収容室２７には、感光ドラム６と転写ローラ１３とが、それぞれの中心軸が幅方向に延びた状態で、収容されている。この状態で、転写ローラ１３が感光ドラム６に対して下側から接触しており、感光ドラム６および転写ローラ１３の幅方向両端部は、１対の側壁２５によって回転可能に支持されている。また、底壁２１において、転写ローラ１３の下側外周面に一致する部分は、幅方向から見て、転写ローラ１３の下側外周面に沿って下方へ円弧状に湾曲している。
【００２１】
また、後壁２２の前面は、ドラム収容室２７内に後側から臨んでおり、後壁２２の前面の上端部には、帯電器７が取り付けられ、感光ドラム６の外周面に対して所定の隙間を隔てて後側から対向している。なお、天壁２３において感光ドラム６に対して上から対向する部分には、通過穴３９が形成されており、露光器４からの前述したレーザビーム（破線矢印参照）は、通過穴３９を通過して感光ドラム６の外周面に照射される。
【００２２】
現像部収容室２８は、ドラム収容室２７に対して前後に２〜３倍程度大きい空間である。現像部収容室２８は、前述した通過口２６に直接連通しており、通過口２６から上方へ露出されている。
底壁２１において、現像部収容室２８を下から区画する部分の後端部には、幅方向に長手で底壁２１を上下に貫通する入口２９が形成されている。画像形成時において、用紙Ｐは、入口２９からドラム部８内に進入し、感光ドラム６と転写ローラ１３との間を通過する。ここで、後壁２２には、幅方向に長手で後壁２２を前後に貫通する出口３０が形成されている。感光ドラム６と転写ローラ１３との間を通過した用紙Ｐは、出口３０を通過し、定着器１４に向けて搬送される。
【００２３】
底壁２１の下面において入口２９に隣接する位置には、幅方向から見て上側へ向かって円弧状に窪む凹部が形成されており、この凹部は、ローラ収容部３１とされる。ローラ収容部３１には、幅方向に延びるローラ３２が下から収容されている。ローラ３２の中心軸は、幅方向に沿って延びており、その両端は、１対の側壁２５によって回転可能に支持されている。図１に示すようにプロセスカートリッジ３が本体ケーシング２に装着された状態で、ローラ３２は、本体ケーシング２内に配置されたローラ３３に上から対向し、これらのローラ３２、３３は、用紙Ｐの搬送タイミングを調整するレジストローラを構成する。
【００２４】
底壁２１の上面（現像部収容室２８に臨む面）において入口２９およびローラ収容部３１より前側の部分には、上向きに突出する凸部３４が、前後に間隔を隔てて複数設けられている。
図６に示すように、前壁２４の幅方向両端部には、切欠き３５が形成されている。各切欠き３５は、前壁２４を前後に貫通するように、前壁２４の上端縁を下側へ切欠いている。前壁２４の後面（現像部収容室２８に臨む面）において各切欠き３５に対して幅方向外側から隣接する位置には、現像部収容室２８へ向けて後側へ突出するコイルばね３６が設けられている。コイルばね３６の後端には、ブロック状の押圧部材３７が取り付けられ、コイルばね３６と一体化されている。
【００２５】
また、左右の側壁２５のそれぞれにおいて、感光ドラム６より前側の位置には、側壁２５を幅方向において貫通する前後に長手の２つの長穴３８が前後に並んで形成されている。各側壁２５における２つの長穴３８において、前側の長穴３８を前長穴３８Ａといい、後側の長穴３８を後長穴３８Ｂという。
（１−２）現像部
図２（ａ）に示すように、現像部１０は、現像部収容室２８（図１参照）にちょうど収まる大きさを有する幅方向に長手で上下に扁平な中空のボックス形状である。
【００２６】
現像部１０は、その後側略３分の１の部分をなす現像配置部４１と、現像配置部４１に対して前側から連続するカートリッジ配置部４２とを一体的に備えている。
（１−２−１）現像配置部
現像配置部４１は、その外郭をなす現像フレームの一例としての現像ケース４３と、前述した現像ローラ９と、供給ローラ４４と、搬送オーガ４５と、層厚規制ブレード４６とを備えている。
【００２７】
現像ケース４３は、幅方向に長手の中空体であり、幅方向から見て、後上側へ円弧状に膨出する略扇形状をなしている（図２（ｂ）および図２（ｄ）参照）。現像ケース４３の左端面（現像ケース４３の左壁４７の左面）および右端面（現像ケース４３の右壁４８の右面）は、垂直方向に沿って平坦である（図２（ｂ）および図２（ｄ）参照）。また、現像ケース４３の後面には、幅方向に長手の露出穴４９が形成されており、露出穴４９から現像ケース４３の内部が後方へ露出されている。また、現像ケース４３の底壁５０は、幅方向から見て、下方へ緩やかに膨出する円弧状をなしており、底壁５０の後端部５０Ａは、露出穴４９の下方において後側へ突出している。後端部５０Ａは、前述したように入口２９からドラム部８内に進入した用紙Ｐを、感光ドラム６と転写ローラ１３との間へガイドする（図１参照）。
【００２８】
現像ケース４３の内部に、現像ローラ９、供給ローラ４４、搬送オーガ４５および層厚規制ブレード４６が収容されている。
現像ローラ９は、その中心軸が幅方向に沿って延びた状態で、幅方向両端部において現像ケース４３の左壁４７および右壁４８によって回転可能に支持されている。現像ローラ９の後側外周面は、前述した露出穴４９から後方へ露出されている。現像ローラ９の幅方向両端部は、対応する左壁４７または右壁４８から幅方向外側へ突出しており、現像ローラ９の幅方向両端部には、円筒状のカラー６７が外嵌されている（図２（ｂ）および図２（ｄ）参照）。
【００２９】
供給ローラ４４は、その中心軸が幅方向に沿って延びた状態で、幅方向両端部において左壁４７および右壁４８によって回転可能に支持されている。供給ローラ４４は、現像ローラ９に対して前下側から接触している。供給ローラ４４の下側外周面は、前述したように下方へ円弧状に膨出している底壁５０に対して上から沿っている。
搬送オーガ４５は、中心軸が幅方向に沿って延びる細長い円柱であって、その外周面には、幅方向中央から幅方向両外側へ向かいながら螺旋を描く翼４５Ａが一体的に設けられている（図６参照）。搬送オーガ４５は、幅方向両端部において左壁４７および右壁４８によって回転可能に支持されている。搬送オーガ４５は、供給ローラ４４に対して間隔を隔てて上から対向しつつ、現像ローラ９に対して間隔を隔てて前側から対向している。搬送オーガ４５の幅方向両端部は、対応する左壁４７または右壁４８から幅方向外側へ突出しており、搬送オーガ４５の幅方向両端部には、円筒状のカラー６８が外嵌されている（図２（ｂ）および図２（ｄ）参照）。
【００３０】
層厚規制ブレード４６は、現像ケース４３の内部において幅方向に延びつつ下方へ突出する板状に形成されている。層厚規制ブレード４６では、上端部が、基端部となって、天壁５１に固定され、下端部が、遊端部となって、現像ローラ９の前側外周面の幅方向全域に対して前側から圧接している。
また、底壁５０の上面（現像ケース４３の内部に臨む面）には、フィルム状のシール部材５２が、現像ローラ９の下側外周面の幅方向全域に対して下側から接触している。
（１−２−２）カートリッジ配置部
カートリッジ配置部４２は、現像フレームの一例としての配置部本体５３と、受け部５４とを備えている。ここで、配置部本体５３だけでなく、前述したドラムケース２０（図１参照）および現像ケース４３も現像フレームの一例であるが、ドラムケース２０、現像ケース４３および配置部本体５３のまとまりを、現像フレームの一例としている。
（１−２−２−１）配置部本体
配置部本体５３は、上下に扁平な中空のボックス状であり、その上面のほぼ全域は、配置部本体５３内を上方ヘ露出させる開口となっており、露出口５５とされる。配置部本体５３の幅方向寸法は、現像配置部４１の幅方向寸法とほぼ同じであり、配置部本体５３の上下の厚みは、現像配置部４１の上下の厚みとほぼ同じである。一方、配置部本体５３の前後方向寸法は、現像配置部４１の前後方向寸法の２〜３倍程度である。
【００３１】
配置部本体５３の左壁５６および右壁５７のそれぞれは、ともに、幅方向に薄い板状であり、幅方向から見て、前後に長手の略矩形状をなしており、４つの角のうち、前上側の角以外の３つの角は、丸められている。左壁５６は、現像配置部４１の現像ケース４３の左壁４７に対して前側から接続され、左壁５６の左面と左壁４７の左面とはほぼ面一になっている（図２（ｂ）および図２（ｄ）参照）。右壁５７は、現像ケース４３の右壁４８に対して前側から接続され、右壁５７の右面と右壁４８の右面とはほぼ面一になっている。
【００３２】
左壁５６および右壁５７のそれぞれの前端部において幅方向から見て同じ位置には、切欠き５８が形成されている。各切欠き５８は、対応する左壁５６または右壁５７を幅方向において貫通するように、その壁の上端縁の前端部を下方へ切欠いている。切欠き５８は、前下側へ向かうように湾曲しながら延びており、その下端は、対応する左壁５６または右壁５７の上下方向略中央位置にある。切欠き５８は、幅方向から見て、切欠き５８より後側に中心がある円弧状をなしている。
【００３３】
配置部本体５３の底壁５９は、前後方向に沿って平坦に延びる板状であって、左壁５６および右壁５７の下端縁間に架設されている。配置部本体５３の後壁６０は、幅方向から見て後側へ膨出する円弧状の板状であって、底壁５９の後端に連続して左壁５６および右壁５７の後端縁間に架設されている。後壁６０の上端部は、前上側へ延びている。配置部本体５３の前壁６１は、前後に薄い板状であって、底壁５９の前端に連続して円弧状に湾曲しながら上方ヘ延びつつ、左壁５６および右壁５７の前端縁間に架設されている。
【００３４】
ここで、後壁６０は、現像ケース４３の前壁６２に対して前側から接続されている。また、これらの後壁６０および前壁６２を前後方向に貫通する貫通穴６３が、幅方向に間隔を隔てて３つ形成されている（図６も参照）。３つの貫通穴６３のうち、真ん中の貫通穴６３は、供給口６３Ａとされ、左端および右端の２つの貫通穴は、回収口６３Ｂとされる（図６参照）。これら３つの貫通穴６３を介して、現像ケース４３の内部と、配置部本体５３の内部とが互いに連通している。また、供給口６３Ａは、搬送オーガ４５の翼４５Ａが形成されている部分（以下では、翼部分という。）における幅方向中央部を前側から臨み、左側の回収口６３Ｂは、翼部分の左端部を前側から臨み、右側の回収口６３Ｂは、翼部分の右端部を前側から臨んでいる（図６参照）。
【００３５】
そして、配置部本体５３の左壁５６および右壁５７のそれぞれの後端部において幅方向から見て同じ位置には、支持部６４が一体的に設けられている。支持部６４は、対応する左壁５６または右壁５７に固定されている。
支持部６４は、幅方向から見て、配置部本体５３の後壁６０の円弧中心を円中心とする円盤形状である。支持部６４は、対応する左壁５６または右壁５７の幅方向内側面よりも幅方向内側（配置部本体５３の内部）に突出している（図６参照）。各支持部６４の後側外周縁は、後壁６０から前側へずれている。
【００３６】
支持部６４の幅方向内側面は、垂直方向に沿って略平坦であり、支持部６４の幅方向内側面には、幅方向外側へ窪む第１ガイド溝６５が形成されている。第１ガイド溝６５は、ガイド部、第１ガイド部および被係合部の一例として機能する。第１ガイド溝６５は、支持部６４の円中心を通って前上側へ直線状に延びており、支持部６４を、その径方向において貫通している。第１ガイド溝６５の溝幅は、前上側の端部において前上側へ向かって次第に幅広となり、後下側の端部において後下側へ向かって次第に幅広となっているものの、それ以外の部分では、ほぼ一定である。
【００３７】
また、右側の（右壁５７に設けられた）支持部６４の円中心位置には、支持部６４および右壁５７を幅方向において貫通する挿通穴６６が形成されている。挿通穴６６は、丸穴であって、右壁５７の前端部において切欠き５８の下端に後側から隣接する位置にも形成されており、これら２つの挿通穴６６は、前後に並んでいる。ここで、２つの挿通穴６６のうち、切欠き５８側にある前側の挿通穴６６を前挿通穴６６Ａとし、支持部６４の円中心位置にある後側の挿通穴６６を、後挿通穴６６Ｂとする。
【００３８】
ここで、図６に示すように、右壁５７は、二重構造になっており、右側（幅方向外側）に位置する外壁５７Ａと、左側（幅方向内側）に位置する内壁５７Ｂとを含んでいる。外壁５７Ａは、間隔を隔てて内壁５７Ｂに右側から対向配置されている。そして、外壁５７Ａと内壁５７Ｂとによって挟まれた部分には、第１支持軸１１１、第２支持軸１１２、第３支持軸１１３、第４支持軸１１４、第５支持軸１１５および第６軸支持１１６が、前側からこの順番で配置されている。
【００３９】
さらに、配置部本体５３の右壁５７が接続された現像ケース４３の右壁４８も、右壁５７と同様に、二重構造になっており、右側（幅方向外側）に位置する外壁４８Ａと、左側（幅方向内側）に位置する内壁４８Ｂとを含んでいる。外壁４８Ａは、間隔を隔てて内壁４８Ｂに右側から対向配置されている。
現像ケース４３の外壁４８Ａは、配置部本体５３の外壁５７Ａに後側から接続されている一方で、現像ケース４３の内壁４８Ｂは、配置部本体５３の内壁５７Ｂに後側から接続されている。そのため、現像ケース４３において外壁４８Ａと内壁４８Ｂとによって挟まれた部分（空間）は、配置部本体５３において外壁５７Ａと内壁５７Ｂとによって挟まれた部分（空間）に後側から連通している。外壁４８Ａと内壁４８Ｂとによって挟まれた部分には、搬送オーガ４５の右端部（カラー６８より左側の部分）および現像ローラ９の右端部（カラー６７より左側の部分）が、前側からこの順番で配置されている。
【００４０】
第１支持軸１１１、第２支持軸１１２、第３支持軸１１３、第４支持軸１１４、第５支持軸１１５および第６軸支持１１６は、ともに幅方向に延びており、外壁５７Ａと内壁５７Ｂとの間に架設されている。
詳しくは、第１支持軸１１１は、右壁５７の前述した前挿通穴６６Ａに嵌め込まれており、第５支持軸１１５は、前述した後挿通穴６６Ｂに嵌め込まれている（図２（ａ）参照）。この状態で、第１支持軸１１１および第５支持軸１１５のそれぞれは、対応する前挿通穴６６Ａまたは後挿通穴６６Ｂ内で回転自在である。
【００４１】
第１支持軸１１１および第５支持軸１１５は、左右の両端が開放された円筒状であり、それぞれの内部空間が、外壁５７Ａの右側および内壁５７Ｂの左側（配置部本体５３の内部）へ露出されている。また、第１支持軸１１１および第５支持軸１１５のそれぞれの内周面の幅方向略中央には、それぞれの円中心側へ突出する環状の突出部１１１Ａまたは１１５Ａが一体的に設けられている。
【００４２】
ここで、配置部本体５３は、２つの入力部１２７を備えている。第１支持軸１１１および第５支持軸１１５のそれぞれの中空部分に、対応する入力部１２７の左端部が右側から挿通されている。以下では、第１支持軸１１１側（前側）の入力部１２７を前入力部１２７Ａといい、第５支持軸１１５側（後側）の入力部１２７を後入力部１２７Ｂということがある。いずれの入力部１２７も、現像ユニット１６に装着されたトナーカートリッジ１１の外側（右側）に位置している。
【００４３】
入力部１２７は、右側へ向かって細くなる略円錐台形状の被押圧部１２８と、被押圧部１２８の左端面の円中心部分から左側へ延びる軸部１２９とを一体的に備えている。
後入力部１２７Ｂの被押圧部１２８の右端面が平坦である一方で、前入力部１２７Ａの被押圧部１２８の右端面の円中心部分には、左側へ窪む凹部１２８Ａが形成されている。
軸部１２９では、左端部１２９Ａが、それ以外の部分（左端部１２９Ａより右側の部分）とは異なり、金槌の頭部のような形状をしている。
【００４４】
各入力部１２７では、軸部１２９が、対応する第１支持軸１１１または第５支持軸１１５の中空部分に右側から挿通されており、各入力部１２７は、対応する第１支持軸１１１または第５支持軸１１５によって幅方向へスライド自在に支持されている。詳しくは、入力部１２７は、入力解除位置と入力位置との間で幅方向に沿って進退自在である。
入力解除位置にある入力部１２７は、図示するように右側へ退避しており、このとき、軸部１２９の左端部１２９Ａが、対応する第１支持軸１１１または第５支持軸１１５内に収まっていて、配置部本体５３の右壁５７の内壁５７Ｂから左側へほとんどはみ出ていない。また、軸部１２９の左端部１２９Ａは、対応する突出部１１１Ａまたは突出部１１５Ａに左側から当接しているので、入力部１２７が入力解除位置から右側へずれて第１支持軸１１１または第５支持軸１１５から外れることはない。
【００４５】
入力位置にある入力部１２７は、図示しないが、入力解除位置よりも左側へ進出しており、軸部１２９の左端部１２９Ａが、対応する第１支持軸１１１または第５支持軸１１５内から抜け出て、内壁５７Ｂから左側の配置部本体５３内まで突出している。
各入力部１２７では、幅方向に延びるコイルばね１３０が軸部１２９に外嵌されており、コイルばね１３０は、被押圧部１２８の左端面と対応する突出部１１１Ａまたは突出部１１５Ａとの間に、圧縮された状態で介挿されている。そのため、各入力部１２７は、コイルばね１３０が伸びようとする力によって、常には、入力位置（図示せず）から入力解除位置へ向けて付勢されている。
【００４６】
そして、配置部本体５３の右壁５７における外壁５７Ａと内壁５７Ｂとの間には、中心軸が幅方向に延びる円板状であって外周面にギヤ歯が形成されたギヤ１１７、ギヤ１１８、ギヤ１１９、ギヤ１２０、ギヤ１２１およびギヤ１２２が、前からこの順番で配置されている。また、現像ケース４３の右壁４８における外壁４８Ａと内壁４８Ｂとの間には、ギヤ１２３およびギヤ１２４が、前からこの順番で配置されている。
【００４７】
ギヤ１１７の円中心には、第１支持軸１１１が挿通され、ギヤ１１７と第１支持軸１１１とは一体化されている。ギヤ１２１の円中心には、第５支持軸１１５が挿通され、ギヤ１２１と第５支持軸１１５とは一体化されている。ギヤ１２３の円中心には、搬送オーガ４５の右端部が挿通され、ギヤ１２３と搬送オーガ４５とは一体化されている。ギヤ１２４の円中心には、現像ローラ９の右端部が挿通され、ギヤ１２４と現像ローラ９とは一体化されている。
【００４８】
ギヤ１１８の円中心には第２支持軸１１２が挿通され、ギヤ１１９の円中心には第３支持軸１１３が挿通され、ギヤ１２０の円中心には第４支持軸１１４が挿通され、ギヤ１２２の円中心には第６支持軸１１６が挿通され、これらのギヤは、対応する支持軸によって回転自在に支持されている。
そして、ギヤ１１７、ギヤ１１８、ギヤ１１９、ギヤ１２０、ギヤ１２１、ギヤ１２２、ギヤ１２３およびギヤ１２４のそれぞれは、前後に隣り合うギヤと噛合している。
（１−２−２−２）受け部
図２（ａ）に示すように、受け部５４は、配置部本体５３の内部空間の後側領域にちょうど収まる大きさを有する中空体である。
【００４９】
受け部５４は、図２（ａ）での姿勢を基準として、底壁７０、天壁７１と、後壁７２と、左壁７３と、右壁７４とを一体的備えている。なお、各壁の形状に関し、図２（ａ）での姿勢を基準として説明する。
左壁７３および右壁７４は、幅方向に間隔を隔てて対向配置されている。左壁７３および右壁７４は、幅方向から見て、同じ形状をしており、前後に長手で幅方向に薄い板状である。幅方向から見て、左壁７３および右壁７４のそれぞれにおいて、後端縁は、後側へ膨出する円弧状をなしており、上端縁は、後端縁の上端から前側へ直線状に延び、下端縁は、後端縁の下端から前側へ直線状に延び、前端縁は、上端縁の前端から前下側へ直線状に傾斜して延びて下端縁の前端に接続されている。そのため、左壁７３および右壁７４のそれぞれの前側部分は、幅方向から見て略三角形状である。左壁７３および右壁７４のそれぞれにおける円弧状の後端縁の曲率半径は、配置部本体５３の円弧状の後壁６０の曲率半径とほぼ同じである。
【００５０】
ここで、左壁７３および右壁７４のそれぞれの後端部において、幅方向から見て同じ位置には、対応する左壁７３または右壁７４を幅方向において貫通する丸穴７５が形成されている。丸穴７５の円中心は、幅方向から見て、対応する左壁７３または右壁７４の円弧状の後端縁の円弧中心とほぼ一致している。丸穴７５の直径は、前述した支持部６４の外径とほぼ同じである。
【００５１】
そして、左壁７３および右壁７４のそれぞれの幅方向内側面において、幅方向から見て同じ位置には、幅方向外側へ窪む第２ガイド溝７６が形成されている。第２ガイド溝７６は、ガイド部、第２ガイド部および被係合部の一例として機能する。第２ガイド溝７６は、図２（ａ）での姿勢を基準として、対応する左壁７３または右壁７４（以下では「対応する壁」という。）の上下方向中央と丸穴７５の円中心とを通って、略水平方向に沿って直線状に延びている。そして、第２ガイド溝７６は、対応する壁を前後方向に貫通しつつ、対応する壁の後端縁の上下方向中央と前端縁の上下方向中央とをつないでいる。
【００５２】
第２ガイド溝７６の溝幅は、前側の端部において前側へ向かって次第に幅広となっているものの、それ以外の部分では、ほぼ一定であり、第１ガイド溝６５の溝幅とほぼ同じである。また、第２ガイド溝７６は、その途中において丸穴７５につながっていて途切れている。第２ガイド溝７６において、丸穴７５より前側の部分を、前第２ガイド溝７６Ａといい、丸穴７５より後側の部分を、後第２ガイド溝７６Ｂということがある。
【００５３】
底壁７０は、平板状であり、左壁７３および右壁７４の下端縁間に架設されている。天壁７１は、平板状であり、左壁７３および右壁７４の上端縁間に架設されている。後壁７２は、左壁７３および右壁７４のそれぞれにおける円弧状の後端縁と同じ曲率半径で湾曲する円弧状の板状であり、左壁７３および右壁７４の後端縁間に架設され、底壁７０および天壁７１の後端縁間に架設されている。
【００５４】
ここで、後壁７２の上下方向中央部（後壁７２において最も後側へ膨出している部分）には、後壁７２を前後方向に貫通する貫通穴７７が、幅方向に間隔を隔てて３つ形成されている（図６参照）。３つの貫通穴７７のうち、真ん中の貫通穴７７は、供給口７７Ａとされ、左端および右端の２つの貫通穴は、回収口７７Ｂとされる（図６参照）。そして、後壁７２の前面および後面のそれぞれには、スポンジ等で形成されたシール部材７８（黒く塗り潰した部分を参照、他の図でも同じ。）が、各貫通穴７７を縁取るように取り付けられている。
【００５５】
また、受け部５４では、左壁７３、右壁７４、天壁７１および底壁７０のそれぞれの前端縁によって区画された部分は、開口となっており、受け口７９とされる。受け口７９は、受け部５４の内部を、上側（図２（ａ）では前上側）へ露出させている。
このような受け部５４は、配置部本体５３の内部空間の後側領域に収容されている。この状態で、受け部５４では、左壁７３の丸穴７５に対して、配置部本体５３の左壁５６の支持部６４が幅方向外側（左側）から挿通され、右壁７４の丸穴７５に対して、配置部本体５３の右壁５７の支持部６４が幅方向外側（右側）から挿通されている（図６も参照）。この状態で、左壁７３および右壁７４のそれぞれの幅方向内側面と、幅方向で同じ側にある支持部６４の幅方向内側面とは、ほぼ面一になっている。
【００５６】
そして、受け部５４は、配置部本体５３によって、左右の支持部６４を中心として回動可能に支持されている。
詳しくは、受け部５４は、第１位置（図２（ｃ）および図２（ｄ）参照）と、第２位置（図２（ａ）および図２（ｂ）参照）との間で回動可能である。ここで、受け部５４の左壁７３および右壁７４のそれぞれに形成された第２ガイド溝７６の位置について、受け部５４が第１位置にあるときに第２ガイド溝７６も第１位置にあるとし（図２（ｃ）参照）、受け部５４が第２位置にあるときに第２ガイド溝７６も第２位置にあるという（図２（ａ）参照）。
【００５７】
受け部５４は、第１位置にあるときには、図２（ｃ）に示すように、丸穴７５側から前上側へ延びるように全体的に傾斜しており、第１ガイド溝６５に沿っている。このとき、受け口７９がほぼ真上を向いており、受け部５４における受け口７９周辺の部分が、配置部本体５３の露出口５５から上側へはみ出ている。また、受け部５４の天壁７１が、前上側へ延びつつ、配置部本体５３の後壁６０の上端部に対して前下側から接触している。これにより、左側から見て、受け部５４が第１位置にあるときよりも反時計回りに回動することが阻止されている。
【００５８】
また、左壁７３および右壁７４のそれぞれの第２ガイド溝７６と、幅方向で同じ側にある支持部６４の第１ガイド溝６５とが、幅方向から見てつながっており（連続しており）、１本の直線となって前上側へ延びている。このとき、幅方向から見て、第１ガイド溝６５は、前第２ガイド溝７６Ａと後第２ガイド溝７６Ｂとに挟まれており、換言すれば第２ガイド溝７６の途中にある。前第２ガイド溝７６Ａと後第２ガイド溝７６Ｂとは、第１ガイド溝６５を介してつながっているといえる。
【００５９】
また、受け部５４の後壁７２の貫通穴７７は、配置部本体５３の後壁６０において貫通穴６３よりも下方の部分に対して前上側から対向しており、この部分によって後下側から塞がれている。一方、貫通穴６３は、受け部５４の後壁７２において貫通穴７７より上側の部分によって前側から塞がれている。
そして、第１位置にある受け部５４を、左側から見て、時計回りに回動させる。そして、図２（ａ）に示すように、受け部５４の底壁７０が配置部本体５３の底壁５９に上から接触すると、受け部５４は、回動を停止し、第２位置に配置される。
【００６０】
受け部５４は、第２位置にあるときには、配置部本体５３の内部空間に完全に収容されて全体的に前後方向（図２（ａ）では水平方向）に延びており、第１位置にあるとき（図２（ｃ）参照）とは異なり、配置部本体５３の露出口５５から上側へはみ出ていない。
また、受け部５４が第１位置にあるときには前上側へ延びていた第１位置の第２ガイド溝７６（図２（ｃ）参照）は、受け部５４が第２位置にあるときには、第２位置にあって、前後方向に沿って延びている。これに応じて、第２位置の第２ガイド溝７６は、幅方向から見て、前上側へ延びている第１ガイド溝６５と交差しており、第１ガイド溝６５と第２ガイド溝７６との連続状態が解消されている。詳しくは、第２ガイド溝７６は、分断されて前第２ガイド溝７６Ａと後第２ガイド溝７６Ｂとに完全に分かれ、第１ガイド溝６５の両端部（前上側の端部および後下側の端部）は、対応する左壁７３または右壁７４において第２ガイド溝７６以外の部分によって塞がれている。
【００６１】
なお、このように前後方向に延びている第２位置の第２ガイド溝７６の延長線上には、幅方向から見て、前述した２つの挿通穴６６が前後に並んで配置されている。
また、受け部５４が第２位置にあるときには、受け部５４の貫通穴７７は、配置部本体５３の後壁６０の貫通穴６３に対して前側から対向しており、詳しくは、供給口７７Ａと供給口６３Ａとが連通し、左右の回収口７７Ｂと幅方向で同じ側にある回収口６３Ｂとが連通している（図６参照）。
【００６２】
そして、第２位置にある受け部５４を、左側から見て、反時計回りに回動させると、受け部５４を第１位置まで移動させることができる（図２（ｃ）および図２（ｄ）参照）。
（１−３）現像部とドラム部との関係
このような現像部１０は、図１に示すように、ドラム部８の現像部収容室２８に収容されている。この状態で、現像部１０では、前述した受け部５４が、ドラム部８（ドラムケース２０）の通過口２６から上方へ露出されている。
【００６３】
ここで、ドラム部８（ドラムケース２０）の底壁２１の上面の複数の凸部３４に現像部１０が上から当接しており、これにより、現像部１０が現像部収容室２８において上下に位置決めされている。
また、現像部１０では、図６に示すように、搬送オーガ４５の左端部（カラー６８が外嵌された部分）が、ドラム部８の左側の側壁２５の前長穴３８Ａに幅方向内側（右側）から挿通され、現像ローラ９の左端部（カラー６７が外嵌された部分）が、左側の側壁２５の後長穴３８Ｂに幅方向内側から挿通されている。また、搬送オーガ４５の右端部（カラー６８が外嵌された部分）が、ドラム部８の右側の側壁２５の前長穴３８Ａに幅方向内側（左側）から挿通され、現像ローラ９の右端部（カラー６７が外嵌された部分）が、右側の側壁２５の後長穴３８Ｂに幅方向内側から挿通されている。
【００６４】
この状態で、現像ローラ９および搬送オーガ４５のそれぞれの幅方向端部は、挿通された長穴３８において、長穴３８の長手方向（前後方向）に移動できる。これに伴い、現像ローラ９および搬送オーガ４５を有する現像部１０全体が、現像部収容室２８に収容された状態で、ドラム部８に対して前後方向に相対移動できるように、ドラム部８によって支持されており、ドラム部８と一体化されている。
（２）トナーカートリッジ
図３に示すように、トナーカートリッジ１１は、現像部１０の配置部本体５３（図２（ａ）参照）の内部空間にちょうど収まる大きさを有する上下に扁平で幅方向に長手の中空のボックス形状である。
【００６５】
図３（ｂ）に示すように、トナーカートリッジ１１は、現像剤フレームおよびケーシングの一例としての外ケース８１と、シャッタの一例としての内ケース８２とを備えている。
（２−１）外ケース
外ケース８１は、中心軸が幅方向に延びて幅方向両端が塞がれた略円筒状のサブケース８３を前後方向に複数（ここでは３つ）並べて一体化することで形成されている。各サブケース８３の内部空間は、幅方向から見て、略円柱状に区画されている。各サブケース８３（厳密にはサブケース８３の内部空間）は、現像剤収容室の一例として機能する。
【００６６】
ここで、３つのサブケース８３を、前から順に、前サブケース８３Ａ、中サブケース８３Ｂ、後サブケース８３Ｃと区別することがある。前サブケース８３Ａの内部と中サブケース８３Ｂの内部とは直接連通している一方で、中サブケース８３Ｂの内部と後サブケース８３Ｃの内部とは隔壁８４によって仕切られている。
隔壁８４は、幅方向から見て、後サブケース８３Ｃの円状の輪郭の一部をなしており、中サブケース８３Ｂの内部へ向けて前側へ円弧状に膨出している。隔壁８４の下側部分には、隔壁８４を前後方向に貫通する幅方向に長手の連通口８５が形成されており（図４Ｂも参照）、この連通口８５を介して、中サブケース８３Ｂの内部と後サブケース８３Ｃの内部とが連通している。
【００６７】
ここで、後サブケース８３Ｃの内部は、第１室８６とされ、前サブケース８３Ａの内部と中サブケース８３Ｂの内部とのまとまりは、第２室８７とされる。新品のトナーカートリッジ１１では、第２室８７に所定量のトナーが収容されている。
また、後サブケース８３Ｃの後端部における周壁には、この周壁を前後方向（後サブケース８３Ｃの径方向）に貫通して第１室８６に直接連通する開口の一例としての貫通穴８８が幅方向に間隔を隔てて３つ形成されている。３つの貫通穴８８のうち、真ん中の貫通穴８８は、供給口８８Ａとされ、左端および右端の２つの貫通穴８８は、回収口８８Ｂとされる（図４Ａ参照）。
【００６８】
そして、後サブケース８３Ｃの後端部における周壁の前面（第１室８６に臨む面）および後面のそれぞれ、ならびに、隔壁８４の後面（第１室８６に臨む面）には、前述したシール部材７８が、各貫通穴８８または連通口８５を縁取るように取り付けられている。
このように、外ケース８１の内部は、貫通穴８８に直接連通する第１室８６と、連通口８５を介して第１室８６に連通する第２室８７とに区画されている。
【００６９】
そして、図３（ａ）および図３（ｃ）に示すように、後サブケース８３Ｃの左端面および右端面（外ケース８１の外表面）のそれぞれには、後サブケース８３Ｃの円中心を円中心とする丸穴であって第１室８６に連通する露出穴８９が形成されている。
また、後サブケース８３Ｃの左端面および右端面のそれぞれには、露出穴８９を前後から挟むように後サブケース８３Ｃの対応する左端面または右端面から幅方向外側へ突出する１対の突出部（第２被ガイド部および第２係合部の一例としての外突起９０という。）が一体的に設けられている。外突起９０は、後サブケース８３Ｃ（外ケース８１）に固定されている。ここで、後サブケース８３Ｃの左端面および右端面のそれぞれの１対の外突起９０のうち、後側の外突起９０は、後外突起９０Ａとされ、前側の外突起９０は、前外突起９０Ｂとされる。
【００７０】
また、図４Ａに示すように、前サブケース８３Ａには、操作部９１が一体的に設けられている。操作部９１は、トナーカートリッジ１１を現像ユニット１６（プロセスカートリッジ３）に対して着脱するために操作される。操作部９１は、上下方向から見て、後側が開放される略Ｕ字形状であり、前サブケース８３Ａを幅方向から挟むように前サブケース８３Ａに固定されている。そのため、略Ｕ字形状をなす操作部９１の２つの遊端部９１Ａは、前サブケース８３Ａにおいて幅方向で同じ側にある外側面（左端面または右端面）に対して幅方向外側から接続されている。各遊端部９１Ａは、前サブケース８３Ａの対応する幅方向外側面から幅方向外側へ突出している。
【００７１】
そして、前サブケース８３Ａおよび中サブケース８３Ｂにおける外ケース８１の右壁９２は、二重構造になっており、右側（幅方向外側）に位置する外壁９２Ａと、左側（幅方向内側）に位置する内壁９２Ｂとを含んでいる。内壁９２Ｂが、前述した第２室８７を右側から区画しており、外壁９２Ａは、間隔を隔てて内壁９２Ｂに対して右側から対向配置されている。
（２−２）内ケース
内ケース８２は、図３（ｂ）に示すように、中心軸が幅方向に延びて幅方向両端が塞がれた略円筒状であって、後サブケース８３Ｃ内（第１室８６）にちょうど収まる大きさを有している。
【００７２】
内ケース８２の後側の周壁には、この周壁を内ケース８２の径方向に貫通して内ケース８２の内部を外部に連通させる貫通穴９３が、幅方向に間隔を隔てて３つ形成されている（図４Ｂも参照）。３つの貫通穴９３のうち、真ん中の貫通穴９３は、供給口９３Ａとされ、左端および右端の２つの貫通穴９３は、回収口９３Ｂとされる（図４Ｂ参照）。また、内ケース８２の前側の周壁には、この周壁を内ケース８２の径方向に貫通して内ケース８２の内部を外部に連通させる幅方向に長手の取込口９４が形成されている（図４Ｂも参照）。
【００７３】
また、図４Ａに示すように、内ケース８２の左壁９５および右壁９６のそれぞれは、二重構造になっている。左壁９５は、左側（幅方向外側）に位置する外壁９５Ａと、右側（幅方向内側）に位置する内壁９５Ｂとを含んでいる。外壁９５Ａは、間隔を隔てて内壁９５Ｂに対して左側から対向配置されている。右壁９６は、右側（幅方向外側）に位置する外壁９６Ａと、左側（幅方向内側）に位置する内壁９６Ｂとを含んでいる。外壁９６Ａは、間隔を隔てて内壁９６Ｂに対して右側から対向配置されている。そして、左右の内壁９５Ｂ、９６Ｂが内ケース８２の内部空間を幅方向において区画している。
【００７４】
ここで、図３（ａ）および図３（ｃ）に示すように、左壁９５の外壁９５Ａおよび右壁９６の外壁９６Ａのそれぞれには、内ケース８２の円中心を通って内ケース８２の径方向に長手であって、対応する外壁９５Ａまたは外壁９６Ａを幅方向に貫通する露出溝９７が形成されている。左壁９５の露出溝９７の溝幅が一定であるのに対し（図３（ａ）参照）、右壁９６の露出溝９７の溝幅は、内ケース８２の円中心位置において、円弧状に広がっている（図３（ｃ）参照）。
【００７５】
そして、左壁９５および右壁９６のそれぞれの露出溝９７には、幅方向外側へ突出する突出部（第１被ガイド部および第１係合部の一例としての内突起９８という。）が幅方向内側から挿通され、各内突起９８は、対応する左壁９５または右壁９６に連結されている。各内突起９８は、トナーカートリッジ１１の一部である。各内突起９８は、幅方向から見て、内ケース８２の円中心を通り、内ケース８２の径方向に沿って長手である。右壁９６に連結された内突起９８は、その長手方向中心（内ケース８２の円中心と一致する部分）において、途切れている（図３（ｃ）参照）。
【００７６】
図４Ａを参照して、各内突起９８は、進出位置（実線で示した内突起９８を参照）と、退避位置（点線で示した内突起９８を参照）との間で、幅方向に沿って進退可能である。
進出位置にある内突起９８では、そのほとんどの部分が、対応する左壁９５の外壁９５Ａまたは右壁９６の外壁９６Ａの幅方向外側面から幅方向外側へ突出している。このとき、内突起９８の幅方向内側の縁が、係合部９８Ａとなって、対応する左壁９５の外壁９５Ａまたは右壁９６の外壁９６Ａに対して幅方向内側から引っ掛かっており、内突起９８が進出位置より幅方向外側へずれて露出溝９７から外れてしまうことが防止されている。
【００７７】
退避位置にある内突起９８は、進出位置にあるときよりも幅方向内側にあり、内突起９８では、幅方向外側端面が、対応する左壁９５の外壁９５Ａまたは右壁９６の外壁９６Ａの幅方向外側面とほぼ面一となっている。また、退避位置にある内突起９８の幅方向内側端面は、対応する左壁９５の内壁９５Ｂまたは右壁９６の内壁９６Ｂの幅方向外側面に対して、接触する位まで、幅方向外側から接近している。
【００７８】
ここで、各内突起９８と、対応する左壁９５の内壁９５Ｂまたは右壁９６の内壁９６Ｂとの間には、幅方向に沿って伸縮する付勢部材の一例としてのばね１０５が、圧縮された状態で介挿されており、各内突起９８は、ばね１０５が伸びようとする力によって、常には、退避位置から進出位置へ向けて付勢されている。
このような内ケース８２は、後サブケース８３Ｃの第１室８６に収容されている。この状態で、内ケース８２の左端面（左壁９５の外壁９５Ａの左面）および右端面（右壁９６の外壁９６Ａの右面）のそれぞれは、後サブケース８３Ｃにおいて幅方向で同じ側にある露出穴８９から幅方向外側へ露出されている（図３（ａ）、（ｃ）、（ｄ）および（ｆ）参照）。
【００７９】
この状態で、内ケース８２において、左端面は、外ケース８１の左端面とほぼ面一となっており、右端面は、外ケース８１の右端面とほぼ面一となっている。
また、内ケース８２の左端面（左壁９５）および右端面（右壁９６）のそれぞれにある内突起９８は、実線で示すように進出位置にあるときには、退避位置にあるとき（点線で示した内突起９８を参照）よりも、外ケース８１の対応する幅方向外側端面（外表面）から幅方向外側へ突出している。進出位置にある各内突起９８の幅方向外側端面は、幅方向で同じ側にある外突起９０の幅方向外側端面とほぼ面一になっている。一方、退避位置にある内突起９８の幅方向外側端面は、外ケース８１および内ケース８２の対応する幅方向外側端面とほぼ面一になっている。
【００８０】
ここで、各内突起９８は、内ケース８２において進退自在に設けられているが、内ケース８２が外ケース８１の第１室８６に収容されていることから、外ケース８１に設けられているともいえる。
そして、図３を参照して、内ケース８２は、後サブケース８３Ｃに対して、内ケース８２の円中心（後サブケース８３Ｃの円中心でもある。）を中心として相対回動可能である。換言すれば、内ケース８２（内ケース８２の各内突起９８も含む）は、外ケース８１によって回動可能に支持されている。詳しくは、内ケース８２は、閉位置（図３（ａ）〜図３（ｃ）および図４Ａ参照）と開位置（図３（ｄ）〜図３（ｆ）および図４Ｂ参照）との間で回動可能である。
【００８１】
内ケース８２が閉位置にあるとき、図３（ａ）および図３（ｃ）に示すように、トナーカートリッジ１１を左右の両側から見て、内突起９８は、幅方向で同じ側にある後外突起９０Ａおよび前外突起９０Ｂとつながる（後外突起９０Ａと前外突起９０Ｂとの間に位置する）。このとき、幅方向で同じ側の内突起９８および外突起９０が、後外突起９０Ａと前外突起９０Ｂとを結ぶ１本の直線Ｘ（ここでは前後方向に延びている。）上に並ぶ。
【００８２】
また、図３（ｂ）に示すように、内ケース８２の貫通穴９３が、外ケース８１（後サブケース８３Ｃ）の貫通穴８８に対して上側へずれ、内ケース８２の取込口９４が、外ケース８１の隔壁８４の連通口８５に対して下側へずれている。
これにより、外ケース８１の貫通穴８８が、内ケース８２の周壁において貫通穴９３より下側の部分によって、前側（後サブケース８３Ｃの径方向内側）から塞がれ、連通口８５が、内ケース８２の周壁において取込口９４より上側の部分によって、後側（後サブケース８３Ｃの径方向内側）から塞がれている（図４Ａも参照）。つまり、内ケース８２（厳密には内ケース８２の周壁）は、閉位置にあるとき、貫通穴８８および連通口８５の両方を閉じている。この状態では、トナーカートリッジ１１の内部空間が外部から遮断され、かつ、前述した第１室８６（換言すれば内ケース８２の内部空間）と第２室８７との間が遮断されている（図４Ａも参照）。
【００８３】
図３（ａ）に示すように閉位置にある内ケース８２において、各内突起９８を、幅方向から見て時計回りまたは反時計回りの所定方向（左側の内突起９８の場合には、左側面視で反時計回りの方向）へ所定量だけ捻ると、内ケース８２は、前記所定方向（左側面視で反時計回りの方向）へ回動し、図３（ｄ）に示す開位置に至る。
内ケース８２が開位置にあるとき、各内突起９８は、前上側へ延びており、幅方向から見て、前述した直線Ｘに対して交差していて、後外突起９０Ａおよび前外突起９０Ｂにつながっていない（図３（ｆ）も参照）。
【００８４】
また、図３（ｅ）に示すように、内ケース８２の貫通穴９３が、外ケース８１の貫通穴８８に対して前側から対向しており、詳しくは、供給口９３Ａと供給口８８Ａとが連通し、左右の回収口９３Ｂと幅方向で同じ側にある回収口８８Ｂとが連通している（図４Ｂ参照）。さらに、内ケース８２の取込口９４が、外ケース８１の連通口８５に対して後側から対向して連通している（図４Ｂも参照）。つまり、内ケース８２が、貫通穴８８および連通口８５の両方を開いている。
【００８５】
そして、このように内ケース８２が開位置にある状態において内突起９８（図３（ｄ）および図３（ｆ）参照）を前記所定方向とは反対の方向へ前記所定量だけ捻ると、内ケース８２は、閉位置に戻る（図３（ａ）〜図３（ｃ）参照）。
（２−３）その他
図４Ａに示すように、トナーカートリッジ１１において、外ケース８１の前サブケース８３Ａおよび中サブケース８３Ｂ、ならびに内ケース８２（換言すれば、内ケース８２を収容する後サブケース８３Ｃ）のそれぞれの内部空間には、攪拌部材の一例としてのアジテータ９９が１つずつ回転自在に設けられている。
【００８６】
アジテータ９９は、幅方向に延びる円柱状の回転軸９９Ａと、回転軸９９Ａの周上１箇所から回転軸９９Ａの径方向外側へ突出する支持部９９Ｂと、支持部９９Ｂから回転軸９９Ａの径方向外側へ突出する羽根９９Ｃとを一体的に備えている（図３（ｂ）も参照）。アジテータ９９の回転軸方向は、回転軸９９Ａが延びる方向（幅方向）である。
前サブケース８３Ａおよび中サブケース８３Ｂの各アジテータ９９の回転軸９９Ａは、対応する前サブケース８３Ａまたは中サブケース８３Ｂの円中心を通った状態で、前サブケース８３Ａおよび中サブケース８３Ｂにおける外ケース８１の左壁１０６と右壁９２との間に架設されており、これらの壁によって回転自在に支持されている。前サブケース８３Ａおよび中サブケース８３Ｂの各アジテータ９９の回転軸９９Ａの右端部は、右壁９２の外壁９２Ａから右側へ露出されている。
【００８７】
内ケース８２のアジテータ９９の回転軸９９Ａは、内ケース８２の円中心を通った状態で、内ケース８２の左壁９５（厳密には内壁９５Ｂ）と右壁９６との間に架設されており、これらの壁によって回転自在に支持されている。この回転軸９９Ａの右端部は、右壁９６の外壁９６Ａの露出溝９７における内ケース８２の円中心位置と一致する部分から、外壁９６Ａの右側へ露出されている（図３（ｃ）参照）。
【００８８】
ここで、前サブケース８３Ａのアジテータ９９の回転軸９９Ａ、および、内ケース８２のアジテータ９９の回転軸９９Ａのそれぞれの右端部は、回転軸９９Ａにおける他の部分（右端部より左側の部分）に比べて太くなっており、被入力部１００とされる。各被入力部１００の右端面には、左側へ窪む凹部１００Ａが形成されている。
各被入力部１００は、凹部１００Ａが外ケース８１の右端面から右側に露出されるように、配置されており、換言すれば、外ケース８１に設けられている。
【００８９】
内ケース８２のアジテータ９９の被入力部１００は、右壁９６の内突起９８において前述したように途切れた部分に配置されているが、この内突起９８に接触していない。また、この被入力部１００の右端面は、右壁９６の外壁９６Ａの右面とほぼ面一になっている。
また、前サブケース８３Ａのアジテータ９９の被入力部１００の左端部には、中心軸が幅方向に延びる環状であって外周面にギヤ歯が形成されたギヤ１０１が外嵌され、この被入力部１００と一体化されている。ギヤ１０１は、外ケース８１の右壁９２における外壁９２Ａと内壁９２Ｂとの間に配置されている。
【００９０】
ギヤ１０１に関連して、外壁９２Ａと内壁９２Ｂとの間には、ともに中心軸が幅方向に延びる円板状であって外周面にギヤ歯が形成されたギヤ１０２およびギヤ１０３が設けられている。また、前後方向において、前サブケース８３Ａのアジテータ９９の回転軸９９Ａと中サブケース８３Ｂのアジテータ９９の回転軸９９Ａとの間には、幅方向に延びて外壁９２Ａと内壁９２Ｂとの間に架設される支持軸１０４が設けられている。
【００９１】
ギヤ１０２の円中心には、支持軸１０４が挿通され、ギヤ１０２は、支持軸１０４によって回転自在に支持されている。ギヤ１０３の円中心には、中サブケース８３Ｂのアジテータ９９の回転軸９９Ａが挿通され、ギヤ１０３は、この回転軸９９Ａと一体化されている。ギヤ１０１に対して、ギヤ１０２が後側から噛合し、ギヤ１０２に対して、ギヤ１０３が後側から噛合している。
【００９２】
羽根９９Ｃは、可撓性を有する材料でフィルム状に形成されており、各アジテータ９９において、幅方向に並ぶように複数設けられている。
（３）現像ユニットに対するトナーカートリッジの着脱
次に、現像ユニット１６（プロセスカートリッジ３においてトナーカートリッジ１１以外の部分）に対するトナーカートリッジ１１の着脱について説明する。なお、トナーカートリッジ１１の着脱は、プロセスカートリッジ３が本体ケーシング２（図１参照）の外にある状態で行われる。
【００９３】
装着について説明する。
まず、現像部１０において、前述した受け部５４を、図５（ａ）および（ｂ）に示すように第１位置に配置する。
そして、操作部９１を把持することで、内ケース８２が閉位置にあるトナーカートリッジ１１を、後サブケース８３Ｃから前サブケース８３Ａへ向かって前上側へ延びるように傾斜した姿勢にし、受け部５４の受け口７９の前上側へ配置する。
【００９４】
その後、トナーカートリッジ１１を、後下側へ移動させ、後サブケース８３Ｃ側から順に受け口７９を通過するように、受け部５４内に挿入する。
その際、図５（ａ）を参照して、トナーカートリッジ１１が受け部５４の左壁７３および右壁７４によって幅方向から挟まれるので、左壁７３および右壁７４のそれぞれに設けられた第１ガイド溝６５および第２ガイド溝７６は、幅方向においてトナーカートリッジ１１の両側に位置する。
【００９５】
そのため、トナーカートリッジ１１の左右両側において前述したように１本の直線（図３（ａ）および図３（ｃ）の直線Ｘ参照）上に並んでいる外突起９０および内突起９８において、まず、後外突起９０Ａが、受け部５４において幅方向で同じ側にある第２ガイド溝７６（厳密には前第２ガイド溝７６Ａ）に受け入れられる。後外突起９０Ａは、前第２ガイド溝７６Ａ内を後下側へスライドする。そして、後外突起９０Ａに続いて、内突起９８および前外突起９０Ｂが、この順番で、前第２ガイド溝７６Ａに受け入れられ、前第２ガイド溝７６Ａ内を後下側へスライドする。
【００９６】
これにより、トナーカートリッジ１１は、左右両側において外突起９０および内突起９８が第２ガイド溝７６にガイドされることで、前上側（換言すれば後下側）へ延びる第２ガイド溝７６に沿って、受け部５４内を後下側へ移動していく。つまり、現像ユニット１６（現像部１０）に対するトナーカートリッジ１１の装着方向（以下では単に「装着方向」ということがある。）は、後下側へ向かう方向である。
【００９７】
ここで、トナーカートリッジ１１は、後下側へ移動している際、後サブケース８３Ｃから前サブケース８３Ａへ向かって前上側へ延びるように引き続き傾斜している。そのため、３つのサブケース８３Ａ〜Ｃは、前述した装着方向における上流側へ、後サブケース８３Ｃの後端の貫通穴８８から離れる方向に沿って一列に並んでいる（図５（ｂ）参照）。また、前サブケース８３Ａに設けられた前述した操作部９１は、後サブケース８３Ｃの内ケース８２の内突起９８よりも、前述した装着方向における上流側（前側）に設けられていることがわかる。
【００９８】
受け部５４が第１位置にあるときには、前述したように、第１位置にある第２ガイド溝７６と第１ガイド溝６５とがつながって１本の直線となって前上側へ延びている。そのため、後外突起９０Ａは、前第２ガイド溝７６Ａを通過した後は、第１ガイド溝６５をスライドし（第１ガイド溝６５に受け入れられてガイドされ）、最終的には、図５（ａ）に示すように後第２ガイド溝７６Ｂに受け止められる。
【００９９】
後外突起９０Ａが後第２ガイド溝７６Ｂに受け止められたときには、内突起９８は、前第２ガイド溝７６Ａから第１ガイド溝６５に受け渡され、前外突起９０Ｂは、前第２ガイド溝７６Ａの後下側の端部に位置する（第１ガイド溝６５に受け渡されない。）。
このように、トナーカートリッジ１１は、現像ユニット１６に装着される際、外突起９０および内突起９８において、つながっている第１ガイド溝６５および第２ガイド溝７６の両方にガイドされる。
【０１００】
後外突起９０Ａが後第２ガイド溝７６Ｂに受け止められたとき、図５（ｂ）に示すように、トナーカートリッジ１１の外ケース８１（後サブケース８３Ｃ）の後側面（厳密にはシール部材７８）が、第１位置の受け部５４の後壁７２に前上側から接触しており、トナーカートリッジ１１の後下側への移動（受け部５４内への挿入）が完了する。
このとき、トナーカートリッジ１１の貫通穴８８は、受け部５４の貫通穴７７に対して前上側から対向しており、詳しくは、供給口８８Ａと供給口７７Ａとが連通し、左右の回収口８８Ｂと幅方向で同じ側にある回収口７７Ｂとが連通している（図６参照）。
【０１０１】
その後、トナーカートリッジ１１の操作部９１を押し下げることで、トナーカートリッジ１１が挿入されて第１位置にある受け部５４を、図５（ｃ）および（ｄ）に示す第２位置へ向けて回動させる。
受け部５４が第２位置へ向けて回動すると、受け部５４が第１位置にあるときに前上側へ延びていた第１ガイド溝６５は、引き続き前上側へ延びている一方で、今まで第１位置にあった第２ガイド溝７６は、図５（ｃ）に示すように、幅方向から見て第１ガイド溝６５と交差しようとする。そのため、トナーカートリッジ１１において、第１ガイド溝６５に受け入れられている（嵌っている）内突起９８を有する内ケース８２に対して、第２ガイド溝７６に受け入れられている（嵌っている）外突起９０を有する外ケース８１が、左側面視で時計回りに相対回動する。内ケース８２が、外ケース８１に対して左側面視で反時計回りに相対回動しているともいえる。
【０１０２】
外ケース８１が回動する際、操作部９１の左右の遊端部９１Ａは、現像部１０の配置部本体５３における対応する左壁５６または右壁５７の切欠き５８に上から嵌り、切欠き５８内を下降する。ここで、切欠き５８は、外ケース８１（遊端部９１Ａ）の回動軌跡に一致している。
そして、図５（ｃ）に示すように受け部５４が第２位置まで回動すると、内ケース８２は、外ケース８１に対して相対回動することで開位置に配置され、トナーカートリッジ１１は、現像部１０の配置部本体５３内に完全に収容される（図５（ｄ）も参照）。これにより、現像ユニット１６（現像部１０）に対するトナーカートリッジ１１の装着が完了する。
【０１０３】
このとき、各内突起９８は、引き続き第１ガイド溝６５に受け止められており、各外突起９０において、前外突起９０Ｂは、引き続き前第２ガイド溝７６Ａの後側の端部に受け止められており、後外突起９０Ａは、引き続き後第２ガイド溝７６Ｂに受け止められている。
また、このとき、図５（ｄ）に示すように、トナーカートリッジ１１の貫通穴８８は、受け部５４が第１位置にあったときから引き続いて受け部５４の貫通穴７７に対向（連通）しており、さらには、現像部１０において現像配置部４１（現像ケース４３）の内部に連通する貫通穴６３に対して、受け部５４の貫通穴７７を介して前側から連通している。
【０１０４】
そのため、現像ユニット１６に対するトナーカートリッジ１１の装着が完了すると、現像部１０側の貫通穴６３および貫通穴７７と、トナーカートリッジ１１側の貫通穴８８および貫通穴９３とが前後方向において並んで連通する。
詳しくは、図６に示すように、供給口６３Ａと供給口７７Ａと供給口８８Ａと供給口９３Ａとが連通し、左側の回収口６３Ｂと左側の回収口７７Ｂと左側の回収口８８Ｂと左側の回収口９３Ｂとが連通し、右側の回収口６３Ｂと右側の回収口７７Ｂと右側の回収口８８Ｂと右側の回収口９３Ｂとが連通する。
【０１０５】
また、このとき、トナーカートリッジ１１の操作部９１の左右の遊端部９１Ａは、対応する切欠き５８（図５参照）の下端（最深部）に位置し、さらに、各遊端部９１Ａの前端部が、ドラム部８（ドラムケース２０）の前壁２４において対応する左または右の切欠き３５に対して、上から嵌っている。そのため、上下方向から見て、前述したように後側が開放される略Ｕ字形状の操作部９１の内側に、現像部１０の配置部本体５３の前壁６１およびドラムケース２０の前壁２４（左右の切欠き３５に挟まれた部分）が配置される。
【０１０６】
そして、トナーカートリッジ１１を現像ユニット１６（現像部１０）から離脱させるには、図５（ｃ）および図５（ｄ）を参照して、操作部９１を掴んで引き上げる。これにより、図５（ａ）および図５（ｂ）に示すように、受け部５４が第２位置から第１位置まで回動するとともに、トナーカートリッジ１１において内ケース８２は開位置から閉位置まで回動する。その後、トナーカートリッジ１１を前上側へ引き出してトナーカートリッジ１１が受け部５４から完全に抜け出ると、トナーカートリッジ１１の離脱が完了する。図５（ａ）を参照して、トナーカートリッジ１１は、現像ユニット１６から離脱される際（第１位置の受け部５４から前上側へ引き出される際）、外突起９０および内突起９８において、つながっている第１ガイド溝６５および第２ガイド溝７６の両方にガイドされる。
【０１０７】
このように、操作部９１の操作による現像ユニット１６（プロセスカートリッジ３）に対するトナーカートリッジ１１の着脱動作と、内ケース８２の回動（内ケース８２による前述した貫通穴８８の開閉動作）とが連動している。
また、トナーカートリッジ１１が現像ユニット１６に着脱される際、外突起９０および内突起９８は、前述したように１本の直線Ｘ（図３（ａ）および図３（ｃ）参照）上に並んでいて、第１ガイド溝６５および第２ガイド溝７６にガイドされる。このとき、内突起９８は、現像ユニット１６に対するトナーカートリッジ１１の着脱方向（前上側と後下側とを結ぶ方向であり、図５（ａ）の太線矢印Ｙを参照）において、後外突起９０Ａと前外突起９０Ｂとに挟まれている。
（４）画像形成時におけるプロセスカートリッジでの動作
次に、現像ユニット１６にトナーカートリッジ１１が装着された（完成した）プロセスカートリッジ３での、前述した画像形成時における動作について説明する。
【０１０８】
図６を参照して、画像形成時には、現像部１０の配置部本体５３における各入力部１２７は、本体ケーシング２（図１参照）に設けられた押圧部材（図示せず）によって被押圧部１２８において左側へ押圧されることで、前述した入力位置にある（図示せず）。
このとき、前入力部１２７Ａでは、軸部１２９の左端部１２９Ａが、トナーカートリッジ１１の前サブケース８３Ａのアジテータ９９の被入力部１００の凹部１００Ａに右側から嵌っていて、この被入力部１００に連結されている。また、後入力部１２７Ｂでは、軸部１２９の左端部１２９Ａが、トナーカートリッジ１１の内ケース８２のアジテータ９９の被入力部１００の凹部１００Ａに右側から嵌っていて、この被入力部１００に連結されている。
【０１０９】
この状態で、前入力部１２７Ａの凹部１２８Ａに、本体ケーシング２（図１参照）に設けられた駆動源の出力軸（図示せず）が右側から嵌り、駆動源が発生した駆動力が、前入力部１２７Ａに伝達される。これにより、前入力部１２７Ａが回転する。
前入力部１２７Ａに伝達された駆動力は、前サブケース８３Ａのアジテータ９９の被入力部１００に入力され、これにより、前サブケース８３Ａのアジテータ９９に伝達されるとともに、被入力部１００のギヤ１０１ならびにギヤ１０２およびギヤ１０３を介して、中サブケース８３Ｂのアジテータ９９にも伝達される。
【０１１０】
また、前入力部１２７Ａに伝達された駆動力は、さらに、第１支持軸１１１のギヤ１１７ならびにギヤ１１８、ギヤ１１９、ギヤ１２０およびギヤ１２１を介して後入力部１２７Ｂに伝達される。これにより、後入力部１２７Ｂが回転する。後入力部１２７Ｂに伝達された駆動力は、内ケース８２のアジテータ９９の被入力部１００に入力されて内ケース８２のアジテータ９９に伝達されるともに、ギヤ１２２、ギヤ１２３およびギヤ１２４を介して、搬送オーガ４５および現像ローラ９にも伝達される。
【０１１１】
つまり、前入力部１２７Ａに伝達された駆動力は、分岐し、前サブケース８３Ａのアジテータ９９の被入力部１００と、内ケース８２のアジテータ９９の被入力部１００、搬送オーガ４５および現像ローラ９とに伝達される。ここで、２つの入力部１２７のうち、前入力部１２７Ａは、前述した駆動源からの駆動力を受けて前サブケース８３Ａのアジテータ９９の被入力部１００に入力する一方で、後入力部１２７Ｂは、前入力部１２７Ａが駆動源から受けた駆動力の一部を内ケース８２のアジテータ９９の被入力部１００、搬送オーガ４５および現像ローラ９に伝達する伝達部として機能している。この伝達部には、前述したギヤ１１７、ギヤ１１８、ギヤ１１９、ギヤ１２０、ギヤ１２１、ギヤ１２２、ギヤ１２３およびギヤ１２４も含まれる。
【０１１２】
以上のように駆動力が伝達されることで、前サブケース８３Ａ、中サブケース８３Ｂおよび内ケース８２の各アジテータ９９と、搬送オーガ４５と現像ローラ９とが回転する。
各アジテータ９９は、左側から見て時計回りの方向に回転する（図１の太い実線矢印を参照）。これにより、前サブケース８３Ａ内のトナーが、前サブケース８３Ａ内の回転するアジテータ９９の羽根９９Ｃによって攪拌されつつ後上側へ掬い上げられ、中サブケース８３Ｂ内へ搬送される（図１も参照）。中サブケース８３Ｂ内のトナーは、中サブケース８３Ｂ内の回転するアジテータ９９の羽根９９Ｃによって攪拌されつつ後上側へ掬い上げられ、前述した連通口８５および取込口９４をこの順番で通過して内ケース８２内へ搬送される（図１も参照）。
【０１１３】
ここで、アジテータ９９の各羽根９９Ｃの先端の縁（アジテータ９９の回転軸９９Ａの径方向における外側端縁）に関し、内ケース８２のアジテータ９９の羽根９９Ｃにおいて、幅方向真ん中の羽根９９Ｃ以外の羽根９９Ｃでは、先端の縁が、幅方向外側へ向かうに従って回転軸９９Ａの径方向内側へ向かうように傾斜している。一方、内ケース８２のアジテータ９９の幅方向真ん中の羽根９９Ｃの先端の縁は、幅方向に沿って延びている（他のアジテータ９９の全ての羽根９９Ｃも同様である。）。
【０１１４】
そのため、内ケース８２内のトナーにおいて、幅方向外側にあるトナーは、内ケース８２内の回転するアジテータ９９において先端の縁が傾斜している羽根９９Ｃによって攪拌されつつ幅方向内側（幅方向真ん中の羽根９９Ｃ側）へ搬送される。このようにして幅方向内側まで搬送されたトナーは、回転するアジテータ９９において幅方向真ん中の羽根９９Ｃによって攪拌されつつ後上側へ掬い上げられ、供給口９３Ａ、供給口８８Ａ、供給口７７Ａおよび供給口６３Ａをこの順番で通過して現像部１０の現像ケース４３内へ搬送（供給）される（図１も参照）。
【０１１５】
現像ケース４３内へ搬送されたトナーは、搬送オーガ４５の幅方向略中央部に供給される。ここで、搬送オーガ４５の翼４５Ａは、搬送オーガ４５の回転に伴って幅方向中央から幅方向両外側へ移動して見えるように構成されている。そのため、搬送オーガ４５の幅方向略中央部に供給されたトナーは、回転する搬送オーガ４５の翼４５Ａによって幅方向両外側へ向けて搬送され、その途中で、一部のトナーが供給ローラ４４の外周面に落下する（図１も参照）。供給ローラ４４の外周面に落下したトナーは、供給ローラ４４の回転によって現像ローラ９に供給され、層厚規制ブレード４６（図１参照）によって薄層となって、前述したように、現像ローラ９の外周面に担持される。なお、前述したように現像ローラ９に伝達された駆動力が供給ローラ４４に伝達されることで供給ローラ４４が回転してもよい。
【０１１６】
そして、供給ローラ４４の外周面に落下することなく、搬送オーガ４５によって幅方向両外側まで搬送されたトナーは、幅方向において同じ側にある回収口６３Ｂ、回収口７７Ｂ、回収口８８Ｂおよび回収口９３Ｂをこの順番で通過して、トナーカートリッジ１１の内ケース８２内に戻る（回収される）。内ケース８２内に戻ったトナーは、再び、幅方向真ん中の羽根９９Ｃ側へ搬送され、その後、供給口９３Ａから現像ケース４３内へ搬送される。つまり、トナーカートリッジ１１内のトナーは、貫通穴６３、７７、８８および９３を介して現像ユニット１６（プロセスカートリッジ３においてトナーカートリッジ１１以外の部分）とトナーカートリッジ１１との間を通過することで、太い破線矢印で示すように、内ケース８２内と現像ケース４３内との間で循環する。
【０１１７】
なお、前述したシール部材７８（黒く塗りつぶした部分であり、図５（ｄ）参照）が、内ケース８２と後サブケース８３Ｃとの間、トナーカートリッジ１１（後サブケース８３Ｃ）と受け部５４の後壁７２との間、後壁７２と配置部本体５３の後壁６０との間を塞いでいるので、循環しているトナーが貫通穴６３、７７、８８または９３から漏れるおそれはない。また、前述したシール部材５２（図１参照）によって、現像ケース４３内における現像ローラ９の下方でのトナー漏れが防止されている。
【０１１８】
ここで、プロセスカートリッジ３では、ドラム部８（ドラムケース２０）の前壁２４の左右の切欠き３５に対して、トナーカートリッジ１１の操作部９１において対応する遊端部９１Ａの前端部が、上から嵌っている。この状態で、各遊端部９１Ａの後端部の幅方向外側端部（受け部９１Ｂという。）は、前壁２４において幅方向で同じ側にあるコイルばね３６の後端の押圧部材３７によって後側へ向けて押圧されている。つまり、各受け部９１Ｂがコイルばね３６からの押圧力を受けている。この押圧力により、トナーカートリッジ１１が装着された現像部１０全体が後側へ向けて付勢され、その結果、前述したように、現像部１０の現像ローラ９の外周面の一部（後側外周面）が、ドラム部８の感光ドラム６の前側外周面に対して前側から押圧している。そのため、現像ローラ９の外周面に担持されたトナーは、感光ドラム６の静電潜像に効果的に供給される。
【０１１９】
また、前述したように遊端部９１Ａが対応する切欠き３５に嵌っている状態で、操作部９１において遊端部９１Ａより前側の部分は、ドラム部８の前壁２４よりも前側にあって、プロセスカートリッジ３の前端をなしている。そのため、前述したようにプロセスカートリッジ３を本体ケーシング２に対して前側から着脱する際には、この操作部９１が把持される（図１参照）。
（５）保持部材
前述したトナーカートリッジ１１は、図７に示す保持部材１４０を備えている。保持部材１４０は、金属の薄板を折り曲げることで形成される。保持部材１４０は、幅方向から見て上下に長手の略矩形状をなして幅方向に間隔を隔てて対向配置される１対の保持板１４１と、幅方向に長手で１対の保持板１４１の上端縁間に架設される架設板１４２とを一体的に備えており、前後方向から見て、上下が逆になった略Ｕ字形状をなしている。
【０１２０】
図８に示すように、保持板１４１（ドットで塗り潰した部分を参照）において、上端縁は、上側へ円弧状に膨出しており、下端縁は、下側へ円弧状に膨出している。これらの上端縁および下端縁の曲率半径は、トナーカートリッジ１１の後サブケース８３Ｃの外周面の曲率半径とほぼ同じである。保持板１４１において、上下方向における最大寸法は、後サブケース８３Ｃの外径より僅かに大きく、前後方向における最大寸法は、外突起９０における後外突起９０Ａの前端面と前外突起９０Ｂの後端面との間隔よりも小さい（図８（ｂ）および図８（ｃ）参照）。
【０１２１】
また、１対の保持板１４１の間隔は、トナーカートリッジ１１の内ケース８２の左端面（左壁９５の外壁９５Ａの左面）と右端面（右壁９６の外壁９６Ａの右面）との間隔（後サブケース８３Ｃの左端面と右端面との間隔とほぼ同じ）に対して僅かに広い（図１０参照）。
そして、右側の保持板１４１において、幅方向から見たときの略中央位置には、保持板１４１を幅方向において貫通する丸穴１４３が形成されている（図７および図８（ｃ）参照）。
【０１２２】
架設板１４２は、各保持板１４１の上端縁と同様に、幅方向から見て、上側へ円弧状に膨出するように湾曲している（図７および図８（ｂ）参照）。
この保持部材１４０は、新品のプリンタ１を出荷する際に使用される。
具体的には、出荷に際して新品のトナーカートリッジ１１の外ケース８１に装着される。なお、保持部材１４０は、後述するように外ケース８１から離脱可能である。
【０１２３】
装着に際し、まず、内ケース８２が閉位置にある状態のトナーカートリッジ１１において、左右の内突起９８の両方を幅方向内側へ押し込んで、ともに退避位置に配置する（図４Ａにおいて点線で示した内突起９８を参照）。
次に、保持部材１４０を、１対の保持板１４１によって幅方向両外側からトナーカートリッジ１１の内ケース８２および後サブケース８３Ｃを挟むように、トナーカートリッジ１１の外ケース８１に対して上から装着する。
【０１２４】
このとき、幅方向から見て、各保持板１４１の上端縁および架設板１４２は、後サブケース８３Ｃの上側周縁とほぼ一致し、各保持板１４１の下端縁は、後サブケース８３Ｃの下側周縁とほぼ一致している（図８（ａ）および図８（ｃ）参照）。
そして、左側の保持板１４１は、図８（ａ）に示すように、内ケース８２の左端面および後サブケース８３Ｃの左端面に対して左側から接触しており、同時に、左側の内突起９８を左側から右側（幅方向内側）へ押さえて退避位置に保持している（図１０参照）。このとき、左側の保持板１４１は、幅方向で同じ側にある後外突起９０Ａと前外突起９０Ｂとによって前後から挟まれているが、これらの後外突起９０Ａおよび前外突起９０Ｂに接触していない。
【０１２５】
また、右側の保持板１４１は、図８（ｃ）に示すように、内ケース８２の右端面および後サブケース８３Ｃの右端面に対して右側から接触しており、同時に、右側の内突起９８を右側から左側（幅方向内側）へ押さえて退避位置に保持している（図１０参照）。このとき、右側の保持板１４１は、幅方向で同じ側にある後外突起９０Ａと前外突起９０Ｂとによって前後から挟まれているが、これらの後外突起９０Ａおよび前外突起９０Ｂに接触していない。また、右側の保持板１４１では、丸穴１４３から、内ケース８２のアジテータ９９の被入力部１００が右側へ露出されている。
【０１２６】
このように保持部材１４０が装着されたトナーカートリッジ１１を現像ユニット１６（現像部１０）に装着する。
この場合、前述した手順と同じ手順で、図９（ａ）に示すように、まず、現像部１０の受け部５４を第１位置に配置し、その後、トナーカートリッジ１１を、後下側へ移動させて受け部５４内に挿入する。この際、トナーカートリッジ１１において、左右の各外突起９０（図８（ａ）および図８（ｃ）参照）は、第１ガイド溝６５および第２ガイド溝７６（図２（ｃ）参照）に受け入れられて（係合して）ガイドされる。しかし、保持部材１４０によって退避位置に保持された左右の各内突起９８（図８（ａ）、図８（ｃ）および図１０参照）は、第１ガイド溝６５および第２ガイド溝７６のいずれにも受け入れられない（係合しない）。
【０１２７】
そのため、受け部５４内へのトナーカートリッジ１１の挿入が完了してから、受け部５４を第１位置から第２位置まで回動させても、図９（ｂ）に示すように、内ケース８２は、外ケース８１に対して相対回動せず、引き続き閉位置にある。つまり、各内突起９８（図８（ａ）、図８（ｃ）および図１０参照）は、退避位置にあるときに内ケース８２の回動（内ケース８２による前述した貫通穴８８の開閉動作）を禁止する。これにより、内ケース８２が貫通穴８８を閉じた状態が維持され、トナーカートリッジ１１内のトナーが貫通穴８８から漏れることが防止される。
【０１２８】
そして、このように保持部材１４０が装着されたトナーカートリッジ１１が現像ユニット１６に装着され、かつ、現像ユニット１６（プロセスカートリッジ３）が本体ケーシング２に装着された（本体ケーシング２内に収容された）状態で、プリンタ１（図１参照）は、梱包されて出荷される。
プリンタ１を入手したユーザは、まず、本体ケーシング２からプロセスカートリッジ３を引き出し、さらに、トナーカートリッジ１１を現像ユニット１６から引き出す。そして、引き出されたトナーカートリッジ１１（図８参照）の外ケース８１から保持部材１４０を離脱させる。これにより、トナーカートリッジ１１の各内突起９８は、図４Ａにて実線で示すように、前述したばね１０５の付勢力によって、進出位置に配置される。
【０１２９】
その後、トナーカートリッジ１１を改めて現像ユニット１６に装着する。ここで、第１位置にある受け部５４内へのトナーカートリッジ１１を挿入する際に、進出位置にある各内突起９８は、前述したように第１ガイド溝６５および第２ガイド溝７６に受け入れられて係合する（図５（ａ）参照）。その後、前述したように受け部５４を第１位置から第２位置まで回動させると、トナーカートリッジ１１の内ケース８２は、今度は、閉位置から開位置まで回動する（図５（ｃ）および（ｄ）参照）。つまり、各内突起９８は、進出位置にあるときに内ケース８２の回動（前述した開閉動作）を許可する。これにより、トナーカートリッジ１１から現像部１０側へのトナーの供給が可能となり、画像形成を実行することができる。
３．作用効果
（１）図５に示すように、このトナーカートリッジ１１は、本体ケーシング２に装備されるプロセスカートリッジ３（プロセスカートリッジ３の現像ユニット１６）に対して着脱可能である。そして、図３（ｂ）および図３（ｅ）に示すように、トナーカートリッジ１１は、トナーを収容する外ケース８１と、内ケース８２とを備えている。外ケース８１には、プロセスカートリッジ３（現像ユニット１６）とトナーカートリッジ１１との間でトナーを通過させるための貫通穴８８が形成されており、内ケース８２が、この貫通穴８８を開閉する。
【０１３０】
ここで、図４Ａに示すように、外ケース８１には、内突起９８が設けられている。内突起９８は、退避位置（点線で示した内突起９８を参照）と、退避位置よりも外ケース８１から突出する進出位置（実線で示した内突起９８を参照）との間で進退可能であり、退避位置にあるときに内ケース８２の開閉動作を禁止し、進出位置にあるときに内ケース８２の開閉動作を許可する。
【０１３１】
そして、図８に示すように、トナーカートリッジ１１は、保持部材１４０を備えている。保持部材１４０は、内ケース８２が貫通穴８８を閉じているときに外ケース８１に装着され（図８（ｂ）参照）、内突起９８を退避位置に保持する（図１０参照）。これにより、内ケース８２は、貫通穴８８を閉じたままの状態でロックされる。そのため、図９（ｂ）に示すように、トナーカートリッジ１１がプロセスカートリッジ３に装着された状態でプリンタ１（図１参照）またはプロセスカートリッジ３が出荷されても、内ケース８２が貫通穴８８を不意に開くことを防止できる。
【０１３２】
ここで、新品のトナーカートリッジ１１には、保持部材１４０が付いており、そのままの状態でトナーカートリッジ１１を本体ケーシング２側に装着しても画像形成はできず、エラーが報知される。そこで、ユーザは、トナーカートリッジ１１を本体ケーシング２（プロセスカートリッジ３）から離脱させて保持部材１４０に存在に気付き、保持部材１４０をトナーカートリッジ１１から取り外してからトナーカートリッジ１１を再び本体ケーシング２に装着する。この一連の動作は、トナーカートリッジ１１を着脱する動作と保持部材１４０を取り外す動作とだけで成立しており、ユーザにとって非常に分かりやすい。
【０１３３】
また、図８に示すようにトナーカートリッジ１１に保持部材１４０が付いている時点で、ユーザには、保持部材１４０が印象付けられるので、保持部材１４０の取り外しを忘れることを減少できる。なお、保持部材１４０が目立つ色で着色されていれば、ユーザに保持部材１４０を印象付けることができる。
また、保持部材１４０を取り外して各内突起９８を進出位置に配置することで、内ケース８２に直接触れずに、内ケース８２が開閉できるようになるので、内ケース８２における貫通穴８８周辺のトナーで手を汚すことを防止できる。
（２）図２（ａ）および図２（ｃ）に示すように、プロセスカートリッジ３（現像ユニット１６）には、第１ガイド溝６５および第２ガイド溝７６が設けられている。そして、保持部材１４０（図８参照）は、外ケース８１から離脱可能であり、保持部材１４０を外ケース８１から離脱させると、内突起９８は、進出位置（図４Ａにおいて実線で示した内突起９８を参照）に配置される。この場合、図５（ａ）に示すように、トナーカートリッジ１１がプロセスカートリッジ３に装着されるときに、内突起９８は、第１ガイド溝６５および第２ガイド溝７６に係合する。これにより、内突起９８が第１ガイド溝６５および第２ガイド溝７６に係合してガイドされることで、トナーカートリッジ１１をプロセスカートリッジ３に円滑に装着することができる。
（３）トナーカートリッジ１１は、操作部９１を備えており、この操作部９１は、トナーカートリッジ１１をプロセスカートリッジ３（現像ユニット１６）に対して着脱するために操作される。
【０１３４】
ここで、図５（ｂ）および図５（ｄ）に示すように、操作部９１の操作によるプロセスカートリッジ３に対するトナーカートリッジ１１の着脱動作と、内ケース８２の開閉動作とが連動しているので、トナーカートリッジ１１を着脱すると内ケース８２で貫通穴８８を開閉することもでき、使い勝手がよい。
（４）図５（ａ）に示すように、内突起９８は、外ケース８１の外表面から突出する突出部である。一方、第１ガイド溝６５および第２ガイド溝７６は、溝であり、トナーカートリッジ１１がプロセスカートリッジ３に装着されるときに、内突起９８を受け入れる。そのため、内突起９８が第１ガイド溝６５および第２ガイド溝７６に受け入れられてガイドされることで、トナーカートリッジ１１をプロセスカートリッジ３に円滑かつ確実に装着することができる。
（５）外ケース８１に固定されて外ケース８１の外表面から突出した外突起９０が、トナーカートリッジ１１がプロセスカートリッジ３に装着されるときに、第１ガイド溝６５および第２ガイド溝７６に受け入れられる。そのため、内突起９８が退避位置（図４Ａにおいて点線で示した内突起９８を参照）にあって第１ガイド溝６５および第２ガイド溝７６に受け入れらなくても、外突起９０が第１ガイド溝６５および第２ガイド溝７６に受け入れられてガイドされることで、トナーカートリッジ１１をプロセスカートリッジ３に円滑に装着することができる。
（６）図４Ａに示すように、ばね１０５が、内突起９８を退避位置から進出位置へ向けて付勢するので、手間をかけずに内突起９８を退避位置から進出位置へ自動的に移動させることができて使い勝手がよい。
（７）図３（ｂ）および図３（ｅ）に示すように、外ケース８１の内部は、貫通穴８８に直接連通する第１室８６と、連通口８５を介して第１室８６に連通し、トナーを収容する第２室８７とに区画されている。ここで、内ケース８２が貫通穴８８および連通口８５の両方を開閉する。そのため、図３（ｂ）に示すように、内ケース８２が貫通穴８８を閉じている状態では、連通口８５も内ケース８２によって閉じられており、外ケース８１内のトナーは、内ケース８２において貫通穴８８を閉じている部分と内ケース８２において連通口８５を閉じている部分とによって二段構えで第２室８７に閉じ込められている。これにより、内ケース８２が貫通穴８８を閉じている状態において外ケース８１内のトナーが貫通穴８８から漏れることを確実に防止できる。
【０１３５】
また、トナーカートリッジ１１においてその外部に面する貫通穴８８は、トナーカートリッジ１１の後面に形成されていて後側へ向いているので、底面に形成されている場合に比べて、トナーカートリッジ１１内のトナーが貫通穴８８からこぼれ落ちにくい。
４．変形例
前記実施例では、トナーカートリッジ１１は、本体ケーシング２（図１参照）から離脱されたプロセスカートリッジ３に対して着脱されている。これに代え、プロセスカートリッジ３（トナーカートリッジ１１以外の部分であって、現像ユニット１６）が本体ケーシング２と一体化されていて、本体ケーシング２（本体ケーシング２のプロセスカートリッジ３）に対してトナーカートリッジ１１が着脱可能であってもよい。
【０１３６】
また、現像ユニット１６において、現像部１０は、ドラム部８に対して着脱不能であったが、ドラム部８に対して着脱可能であってもよい。
また、保持部材１４０（図７参照）は、金属の薄板で形成され、上下が逆になった略Ｕ字形状をなしているが、その材料および形状はあくまでも一例であって、環状のゴムバンドであってもよい。この場合、保持部材１４０を、正面から見て、その内側にトナーカートリッジ１１の後サブケース８３Ｃ（図８参照）が位置するように、後サブケース８３Ｃに外嵌する。これにより、ゴムの弾性によって収縮しようとする保持部材１４０によって、左右の内突起９８が退避位置に保持される（図１０参照）。
【符号の説明】
【０１３７】
２      本体ケーシング
３      プロセスカートリッジ
１１    トナーカートリッジ
１６    現像ユニット
６５    第１ガイド溝
７６    第２ガイド溝
８１    外ケース
８２    内ケース
８５    連通口
８６    第１室
８７    第２室
８８    貫通穴
９０    外突起
９１    操作部
９８    内突起
１０５  ばね
１４０  保持部材
【図１】
2011013368.tif 000003
【図２】
2011013368.tif 000004
【図３】
2011013368.tif 000005
【図４Ａ】
2011013368.tif 000006
【図４Ｂ】
2011013368.tif 000007
【図５】
2011013368.tif 000008
【図６】
2011013368.tif 000009
【図７】
2011013368.tif 000010
【図８】
2011013368.tif 000011
【図９】
2011013368.tif 000012
【図１０】
2011013368.tif 000013